(57)【特許請求の範囲】
【請求項１】
現用チャネルおよび予備チャネルを有する伝送路を介して接続される複数の伝送装置と、前記伝送路および複数の伝送装置のそれぞれを監視制御する少なくとも１つの監視制御装置とを備える情報通信システムにおいて、
前記複数の伝送装置の各々に設けられ、前記情報通信システムの障害発生時にトラフィックを回復するために、前記障害発生時の接続スイッチの状態を決定するために使用する伝送路切替要因と全ての伝送装置間の通信パスの接続情報と自装置内の現在の接続スイッチ状態とに基づいて接続スイッチを切替える信号を発生する伝送路決定手段と、
前記監視制御装置に設けられ、全ての伝送装置に対して、最高の優先度を有する伝送路切替要因の設定要求を送信する設定要求手段と、
前記監視制御装置に設けられ、前記全ての伝送装置に対して、前記最高の優先度を有する伝送路切替要因の解除要求を送信する解除要求手段と、
複数の伝送装置の各々に設けられ、複数の伝送路切替要因を保持する切替要因記憶手段と、
複数の伝送装置の各々に設けられ、前記設定要求手段からの設定要求信号に応じて、前記切替要因記憶手段に伝送路切替要因として前記最高の優先度を有する伝送路切替要因を設定し、前記解除要求手段からの解除要求信号に応じて、前記切替要因記憶手段から前記最高の優先度を有する伝送路切替要因を削除し、伝送路切替要因として、前記切替要因記憶手段に保持されている伝送路切替要因のうちで最も高い優先度を有する伝送路切替要因を設定する切替要因変更手段と、
前記監視制御装置に設けられ、前記接続スイッチの状態を決定するために使用する伝送路切替要因が最高の優先度を有する伝送路切替要因に設定された後に、接続スイッチを切替える信号を前記複数の伝送装置に送信する切替要求手段と、
前記複数の伝送装置の各々に設けられ、前記接続スイッチ切替信号に応じて接続スイッチを切替える接続スイッチ切替手段とを具備する情報通信システム。
【請求項２】
前記監視制御装置に設けられ、前記切替要求手段からの信号に応答して前記接続スイッチ切替手段により接続スイッチが切替えられた後に、前記全ての伝送装置間の通信パスの接続情報を含むリングマップを前記全ての伝送装置に送信するリングマップ更新要求手段と、
前記複数の伝送装置の各々に設けられ、前記リングマップ更新要求手段から送られてくる通信パス接続情報を含むリングマップによりリングマップを更新するリングマップ更新手段とをさらに具備し、
前記伝送路決定手段は、接続スイッチの状態を決定するために使用する伝送路切替要因として、前記伝送路切替要因を保持する記憶手段に保持されている伝送路切替要因のうちで最も高い優先度を有する伝送路切替要因が設定された後に、前記更新された通信パスの接続情報、前記接続スイッチの状態を決定するために使用する伝送路切替要因、自装置内の現在の接続スイッチ状態に基づいて接続スイッチを切替える信号を発生する請求項１記載の情報通信システム。
【請求項３】
現用チャネルおよび予備チャネルを有する伝送路を介して接続される複数の伝送装置と、前記伝送路および複数の伝送装置のそれぞれを監視制御する少なくとも１つの監視制御装置とを備える情報通信システムにおいて、
前記複数の伝送装置の各々に設けられ、前記情報通信システムの障害発生時にトラフィックを回復するために、前記障害発生時の接続スイッチの状態を決定するために使用する伝送路切替要因と全ての伝送装置間の通信パスの接続情報と自装置内の現在の接続スイッチ状態とに基づいて接続スイッチを切替える信号を発生する伝送路決定手段と、
前記監視制御装置に設けられ、全ての伝送装置に対して、前記伝送路決定手段の機能を停止させる信号を送信する機能停止要求手段と、
前記監視制御装置に設けられ、前記全ての伝送装置に対して、前記伝送路決定手段の機能停止を解除させる信号を送信する機能再起動要求手段と、
前記複数の伝送装置の各々に設けられ、前記機能停止信号に応答して前記伝送路決定手段の機能を停止させる機能停止手段と、
前記複数の伝送装置の各々に設けられ、前記解除信号に応答して前記伝送路決定手段の機能停止を解除させる機能再起動手段と、
前記監視制御装置に設けられ、前記伝送路決定手段の機能が停止された後に、接続スイッチの切替信号を前記複数の伝送装置に送信する接続スイッチ切替要求手段と、
前記複数の伝送装置の各々に設けられ、前記接続スイッチの切替信号に応じて接続スイッチを切替える接続スイッチ切替手段とを具備する情報通信システム。
【請求項４】
前記監視制御装置に設けられ、前記接続スイッチ切替要求手段からの切替信号に応答して前記接続スイッチ切替手段により接続スイッチが切替えられた後に、前記全ての伝送装置間の通信パスの接続情報を含むリングマップを前記全ての伝送装置に送信するリングマップ更新要求手段と、
前記複数の伝送装置の各々に設けられ、前記リングマップ更新要求手段から送られてくる通信パス接続情報を含むリングマップによりリングマップを更新するリングマップ更新手段とをさらに具備し、
前記伝送路決定手段は、前記機能停止が解除された後に、前記更新された通信パスの接続情報、前記接続スイッチの状態を決定するために使用する伝送路切替要因、自装置内の現在の接続スイッチ状態に基づいて接続スイッチを切替える信号を発生する請求項３記載の情報通信システム。
【請求項５】
現用チャネルおよび予備チャネルを有する伝送路を介して接続される複数の伝送装置と、前記伝送路および複数の伝送装置のそれぞれを監視制御する少なくとも１つの監視制御装置とを備える情報通信システム中で使用される監視制御装置において、
前記複数の伝送装置の各々に対して、最高の優先度を有する伝送路切替要因の設定要求信号を送信して、前記伝送装置の接続スイッチの状態を決定するために使用する伝送路切替要因を前記最高の優先度を有する伝送路切替要因に設定する設定要求手段と、
前記複数の伝送装置の各々に対して、前記最高の優先度を有する伝送路切替要因の解除要求信号を送信する解除要求手段と、
前記伝送装置の接続スイッチの状態を決定するために使用する伝送路切替要因が最高の優先度を有する伝送路切替要因に設定された後に、接続スイッチを切替える信号を前記複数の伝送装置に送信して、前記複数の伝送装置の接続スイッチを切替えさせる接続スイッチ切替要求手段とを具備する監視制御装置。
【請求項６】
前記接続スイッチ切替要求手段からの信号に応答して前記伝送装置の接続スイッチが切替えられた後に、前記全ての伝送装置間の通信パスの接続情報を含むリングマップを前記全ての伝送装置に送信して前記全ての伝送装置のリングマップを更新させるリングマップ更新手段をさらに具備する請求項５記載の監視制御装置。
【請求項７】
現用チャネルおよび予備チャネルを有する伝送路を介して接続される複数の伝送装置と、前記伝送路および複数の伝送装置のそれぞれを監視制御する少なくとも１つの監視制御装置とを備える情報通信システム中で使用される監視制御装置において、
前記情報通信システムの障害発生時にトラフィックを回復するために前記障害発生時の接続スイッチの状態を決定するために使用する伝送路切替要因と全ての伝送装置間の通信パスの接続情報と自装置内の現在の接続スイッチ状態とに基づいて接続スイッチを切替える信号を発生する自動切替機能を停止させる信号を前記全ての伝送装置に対して送信する自動切替機能停止要求手段と、
前記全ての伝送装置に対して前記自動切替機能停止を解除させる信号を送信する自動切替機能再起動要求手段と、
前記自動切替機能が停止された後に、接続スイッチの切替信号を前記複数の伝送装置に送信して、前記複数の伝送装置の接続スイッチを切替えさせる接続スイッチ切替要求手段とを具備する監視制御装置。
【請求項８】
前記接続スイッチ切替要求手段からの切替信号に応答して前記複数の伝送装置の接続スイッチが切替えられた後に、前記全ての伝送装置間の通信パスの接続情報を含むリングマップを前記全ての伝送装置に送信して前記全ての伝送装置のリングマップを更新させるリングマップ更新手段をさらに具備する請求項７記載の監視制御装置。
【請求項９】
現用チャネルおよび予備チャネルを有する伝送路を介して接続され、障害発生時に接続スイッチの状態を切替えてトラフィックを回復する自動切替機能を有する複数の伝送装置と、前記伝送路および複数の伝送装置のそれぞれを監視制御する少なくとも１つの監視制御装置とを備える情報通信システム中で使用される伝送装置において、
前記情報通信システムの障害発生時にトラフィックを回復するために、前記障害発生時の接続スイッチの状態を決定するために使用する伝送路切替要因と全ての伝送装置間の通信パスの接続情報と自装置内の現在の接続スイッチ状態とに基づいて接続スイッチを切替える信号を発生する伝送路決定手段と、
複数の伝送路切替要因を保持する切替要因記憶手段と、
前記監視制御装置からの最高の優先度を有する伝送路切替要因の設定要求信号に応じて、前記切替要因記憶手段に伝送路切替要因として前記最高の優先度を有する伝送路切替要因を設定し、前記監視制御装置からの前記最高の優先度を有する伝送路切替要因の解除要求信号に応じて、前記切替要因記憶手段から前記最高の優先度を有する伝送路切替要因を削除し、伝送路切替要因として、前記切替要因記憶手段に保持されている伝送路切替要因のうちで最も高い優先度を有する伝送路切替要因を設定する伝送路切替要因変更手段と、
前記接続スイッチを切替える信号に応じて接続スイッチを切替える接続スイッチ切替手段とを具備し、
前記接続スイッチ切替手段は、前記伝送路切替要因が最高の優先度を有する伝送路切替要因に設定された後に、前記監視制御装置から送られる接続スイッチを切替える信号に応じて接続スイッチを切替える伝送装置。
【請求項１０】
前記接続スイッチ切替手段により接続スイッチが切替えられた後に前記監視制御装置から送られた、前記全ての伝送装置間の通信パスの接続情報を含むリングマップを更新するリングマップ更新手段とをさらに具備し、
前記伝送路決定手段は、前記伝送路切替要因として、前記切替要因記憶手段に保持されている伝送路切替要因のうちで最も高い優先度を有する伝送路切替要因が設定された後に、前記更新された通信パスの接続情報、前記伝送路切替要因、自装置内の現在の接続スイッチ状態とに基づいて接続スイッチを切替える信号を発生する請求項９記載の伝送装置。
【請求項１１】
現用チャネルおよび予備チャネルを有する伝送路を介して接続される複数の伝送装置と、前記伝送路および複数の伝送装置のそれぞれを監視制御する少なくとも１つの監視制御装置とを備える情報通信システム中で使用される伝送装置において、
前記情報通信システムの障害発生時にトラフィックを回復するために、前記障害発生時の接続スイッチの状態を決定するために使用する伝送路切替要因と全ての伝送装置間の通信パスの接続情報と自装置内の現在の接続スイッチ状態とに基づいて接続スイッチを切替える信号を発生し、前記監視制御装置からの機能停止信号により機能を停止し、前記監視制御装置からの解除信号により機能停止を解除する伝送路決定手段と、
切替信号に応じて接続スイッチを切替える接続スイッチ切替手段とを具備し、
前記接続スイッチ切替手段は、前記伝送路決定手段の機能が停止された後に前記監視制御装置から送られる切替信号に応じて接続スイッチを切替える伝送装置。
【請求項１２】
前記接続スイッチ切替手段により接続スイッチが切替えられた後に前記監視制御装置から送られる前記全ての伝送装置間の通信パスの接続情報を含むリングマップを更新するリングマップ更新手段をさらに具備し、
前記伝送路決定手段は、前記機能停止が解除された後に、前記更新された通信パスの接続情報、前記接続スイッチの状態を決定するために使用する伝送路切替要因、自装置内の現在の接続スイッチ状態とに基づいて接続スイッチを切替える信号を発生する請求項１１記載の伝送装置。
【請求項１３】
現用チャネルおよび予備チャネルを有する伝送路を介して接続され、障害発生時に接続スイッチの状態を切替えてトラフィックを回復する機能を有する複数の伝送装置と、前記伝送路および複数の伝送装置のそれぞれを監視制御する少なくとも１つの監視制御装置とを備える情報通信システムにおけるパス設定方法であって、
前記監視制御装置から通信パスの設定を行う際に、全ての伝送装置に対して、最高の優先度を有する伝送路切替要因の設定要求信号を送信するステップと、
前記全ての伝送装置の各々が、前記監視制御装置からの設定要求信号に応じて、接続スイッチの状態を決定するために使用する伝送路切替要因を保持する切替要因記憶手段に、前記最高の優先度を有する伝送路切替要因を設定するステップと、
最高の優先度を有する伝送路切替要因に設定された後に、前記複数の伝送装置の各々が、前記監視制御装置からのパス設定の信号に応じて接続スイッチを切替えるステップと、
前記監視制御装置が、前記全ての伝送装置に対して、前記最高の優先度を有する伝送路切替要因の解除要求信号を送信するステップと、
前記監視制御装置からの解除要求信号に応じて、前記切替要因記憶手段から前記最高の優先度を有する伝送路切替要因を削除し、伝送路切替要因として、前記切替要因記憶手段に保持されている伝送路切替要因のうちで最も高い優先度を有する伝送路切替要因を設定するステップとを含むパス設定方法。
【請求項１４】
前記監視制御装置からの信号に応答して接続スイッチが切替えられた後に、前記複数の伝送装置間の通信パスの接続情報を含むリングマップを前記監視制御装置から前記全ての伝送装置に送信するステップと、
前記監視制御装置から送信された通信パスの接続情報を含むリングマップにより前記伝送装置のリングマップを更新するステップと、
前記伝送路切替要因として、前記切替要因記憶手段に保持されている伝送路切替要因のうちで最も高い優先度を有する伝送路切替要因が設定された後に、前記更新された通信パスの接続情報、前記接続スイッチの状態を決定するために使用する伝送路切替要因、障害情報に基づいて接続スイッチを切替えるステップとをさらに含む請求項１３記載のパス設定方法。
【請求項１５】
現用チャネルおよび予備チャネルを有する伝送路を介して接続される複数の伝送装置と、前記伝送路および複数の伝送装置のそれぞれを監視制御する少なくとも１つの監視制御装置とを備える情報通信システムにおけるパス設定方法であって、
前記監視制御装置から通信パスの設定を行う際に、前記全ての伝送装置に対して、前記情報通信システムの障害発生時にトラフィックを回復するために、前記障害発生時の接続スイッチの状態を決定するために使用する伝送路切替要因と全ての伝送装置間の通信パスの接続情報と自装置内の現在の接続スイッチ状態とに基づいて接続スイッチを切替える自動切替機能を停止させる信号を送信するステップと、
前記自動切替機能が停止された後に、前記監視制御装置からの通信パスの設定操作に応じて接続スイッチを切替えるステップと、
前記監視制御装置からの制御により接続スイッチが切替えられた後に、前記監視制御装置から前記全ての伝送装置に対して前記自動切替機能の停止を解除させる信号を送信するステップとを含むパス設定方法。
【請求項１６】
前記監視制御装置からの切替信号に応答して前記接続スイッチが切替えられた後に、前記監視制御装置からの前記全ての伝送装置間の通信パスの接続情報を含むリングマップにより前記伝送装置のリングマップを更新するステップと、
前記自動切替機能の停止が解除された後に、前記更新された通信パスの接続情報、前記接続スイッチの状態を決定するために使用する伝送路切替要因、自装置の現在の接続スイッチ状態とに基づいて接続スイッチを切替えるステップをさらに含む請求項１５記載のパス設定方法。
【発明の詳細な説明】
【０００１】
【発明の属する技術分野】
本発明は、例えばＳＤＨ（Synchronous Digital Hierarchy）に準拠した情報通信システムと、この情報通信システムで使用される伝送装置、監視制御装置およびこの情報通信システムにおけるパス設定方法に関する。
【０００２】
【従来の技術】
近年、世界的に統一されたユーザ網インタフェースに基づく広帯域ＩＳＤＮ（Integrated Services Digital Network）の展開が求められ、各種の高速サービスや既存の低速サービスを統一的に多重化できるＳＤＨが標準化されている。このような趨勢の中で、大容量の光海底ケーブルを国際間に敷設し、ＳＤＨ規格に準拠した通信装置をリング状に結んだネットワークに関する技術開発が今盛んに行われている。
【０００３】
ＳＤＨは、光伝送方式を前提とするもので、その膨大な帯域を生かすために様々な特徴的な機能が設けられている。例えば、ＳＤＨの適用される大容量光海底ケーブルシステムでは、障害発生に伴う信号の中断を避けるために伝送ケーブルをリング状に敷設するシステムが考えられている。またこの種のシステムにあっては、ＡＰＳ（Automatic Protection Switching）と呼ばれる機能を有したものがある。この機能は、ＩＴＵ−Ｔ勧告Ｇ．８４１において規定されているもので、伝送システムの中継器や伝送媒体の障害に対し、通信パスの保護を実現するものである。
【０００４】
このＳＤＨ伝送システムにおいては、伝送路や伝送装置に障害がない場合の運用効率を向上させるために、例えば通信の切断が許されるサービスに使われる情報のように比較的優先度の低いトラフィックを予備チャネル伝送路の空きチャネルに流す場合がある。このトラフィックをパートタイムトラフィックと呼ぶ。
【０００５】
ところで、通常の動作として通信パスを設定する場合は、情報通信システムに設けられた監視制御装置から、通信パスが通過又は終端する各伝送装置に対して、伝送装置内の伝送路の接続スイッチを順次制御して伝送装置内の通信パスの接続を行う。
【０００６】
このため、通常の動作として通信パスを設定するために監視制御装置により伝送装置に対してなされる伝送路の接続スイッチの制御と、ＡＰＳの起動による各伝送装置内の伝送路の接続スイッチの制御が競合する場合がある。
【０００７】
例えば、４つの伝送装置Ｎ１−Ｎ４で構成されるＳＤＨネットワークにおいて、伝送装置Ｎ１とＮ２間で通信パスＡが既に設定されていたとする。新たに伝送装置Ｎ３とＮ４間に予備チャネル伝送路を使って通信パスＢを設定する場合、監視制御装置は予備チャネル伝送路をドロップするために伝送装置Ｎ３とＮ４における予備チャネル伝送路の接続スイッチを順次制御する。Ｎ３に対する制御が完了し、Ｎ４に対する制御の直前に伝送装置Ｎ１とＮ２間で通信パスの障害が発生すると、ＡＰＳが起動して、伝送装置Ｎ１とＮ２間の通信パスＡを流れているトラフィックを通すために、伝送装置Ｎ３とＮ４に対して予備チャネル伝送路をスルーする制御を行う。この後に予備チャネル伝送路をドロップさせるために、監視制御装置が伝送装置Ｎ４の伝送路の接続スイッチを制御すると、予備チャネル伝送路を使ってＮ１からＮ３とＮ４を経由してＮ２に達すべき、Ｎ１とＮ２間の退避したトラフィックがＮ４でドロップし、Ｎ１とＮ４が繋がるミスコネクトが発生する。
【０００８】
このように監視制御装置から通信パス設定中に伝送装置内でＡＰＳ機能が動作すると、接続スイッチの切替えの結果、ミスコネクトを生じさせる場合がある。
【０００９】
また前述したように、各通信パスを通るトラフィックが、各伝送装置における接続スイッチの切替えにより途切れないようにするためには、各伝送装置が記憶しているネットワーク上の全ての伝送装置間の通信パスの接続情報がすべて一致している必要がある。
【００１０】
ところが、ある条件下においては、各伝送装置で記憶している通信パスの接続情報が一致していない場合がある。
例えば、従来のＳＤＨネットワークシステムにおけるパス設定方式では新たな通信パスの設定は以下に示す手順で行なわれていた。
（Ａ）網内に設けられた監視制御装置から、通信パスが通過または終端する各伝送装置に対して接続スイッチの切替制御命令を順次与える。
（Ｂ）制御命令を受けた伝送装置は、接続スイッチを切替える動作を行い、その動作が完了すると、その旨を示す結果応答を監視制御装置に返送する。
（Ｃ）全ての伝送装置から監視制御装置に結果応答が返送されて通信パスの状態が確定すると、ネットワーク上の全ての伝送装置間の通信パスの接続情報を監視制御装置から全ての伝送装置に対して通知し、各伝送装置に記憶されている通信パスの接続情報を更新させる。
【００１１】
このような手順を踏んでいたため、（Ｃ）での更新作業が完了するまでは各伝送装置が記憶している通信パスの接続情報が相違している場合がある。もしも、このような状態でＡＰＳ機能が動作すると、伝送路の接続スイッチ切替えの際にミスコネクトが生じる。このような場合には、通信が途切れるだけでなく、誤った接続先に繋がることとなり、非常に大きな問題となる。
【００１２】
【発明が解決しようとする課題】
このように従来では、通信パスを設定するために監視制御装置により伝送装置に対してなされる伝送路の接続スイッチの制御と、ＡＰＳの起動による各伝送装置内の伝送路の接続スイッチ制御の競合を制御する手段が提供されていなかった。このためパス設定処理中に障害が発生した場合、ＡＰＳ機能によってトラヒックが途切れないように制御された各伝送装置内の伝送路の接続スイッチが、パス設定処理を継続している監視制御装置による伝送路接続スイッチの制御により上書きされる場合があり、この場合にはトラヒックが途切れたり、ミスコネクトを生じるおそれがあった。
【００１３】
さらに、パス設定後に、ネットワーク上の全ての伝送装置間の通信パスの接続情報を監視制御装置から各伝送装置に順次通知中に障害が発生した場合、伝送装置間において通信パスの接続情報が一致していない状態でＡＰＳ機能が動作するのでトラフィックが途切れたり、ミスコネクトを生じるおそれがあった。
【００１４】
本発明は上記事情によりなされたもので、通信パスの設定時にもミスコネクトやトラフィックの喪失が発生しない情報通信システム、この情報通信システムで使用される監視制御装置、伝送装置およびパス設定方法を提供することを目的とする。
【００１５】
【課題を解決するための手段】
上記目的を達成するために本発明の情報通信システムは、
（１）現用チャネルおよび予備チャネルを有する伝送路を介して接続される複数の伝送装置と、伝送路および複数の伝送装置のそれぞれを監視制御する少なくとも１つの監視制御装置とを備える情報通信システムにおいて、複数の伝送装置の各々に設けられ、情報通信システムの障害発生時にトラフィックを回復するために、障害発生時の接続スイッチの状態を決定するために使用する伝送路切替要因と全ての伝送装置間の通信パスの接続情報と自装置内の現在の接続スイッチ状態とに基づいて接続スイッチを切替える信号を発生する伝送路決定手段と、監視制御装置に設けられ、全ての伝送装置に対して、最高の優先度を有する伝送路切替要因の設定要求を送信する設定要求手段と、監視制御装置に設けられ、全ての伝送装置に対して、最高の優先度を有する伝送路切替要因の解除要求を送信する解除要求手段と、複数の伝送装置の各々に設けられ、複数の伝送路切替要因を保持する切替要因記憶手段と、複数の伝送装置の各々に設けられ、設定要求手段からの設定要求信号に応じて、切替要因記憶手段に伝送路切替要因として最高の優先度を有する伝送路切替要因を設定し、解除要求手段からの解除要求信号に応じて、切替要因記憶手段から最高の優先度を有する伝送路切替要因を削除し、伝送路切替要因として、切替要因記憶手段に保持されている伝送路切替要因のうちで最も高い優先度を有する伝送路切替要因を設定する切替要因変更手段と、監視制御装置に設けられ、接続スイッチの状態を決定するために使用する伝送路切替要因が最高の優先度を有する伝送路切替要因に設定された後に、接続スイッチを切替える信号を複数の伝送装置に送信する切替要求手段と、複数の伝送装置の各々に設けられ、接続スイッチ切替信号に応じて接続スイッチを切替える接続スイッチ切替手段とを具備することを特徴とする。
【００１６】
また本発明のパス設定方法は、
（２）現用チャネルおよび予備チャネルを有する伝送路を介して接続され、障害発生時に接続スイッチの状態を切替えてトラフィックを回復する機能を有する複数の伝送装置と、伝送路および複数の伝送装置のそれぞれを監視制御する少なくとも１つの監視制御装置とを備える情報通信システムにおけるパス設定方法であって、監視制御装置から通信パスの設定を行う際に、全ての伝送装置に対して、最高の優先度を有する伝送路切替要因の設定要求信号を送信するステップと、全ての伝送装置の各々が、監視制御装置からの設定要求信号に応じて、接続スイッチの状態を決定するために使用する伝送路切替要因を保持する切替要因記憶手段に、最高の優先度を有する伝送路切替要因を設定するステップと、最高の優先度を有する伝送路切替要因に設定された後に、複数の伝送装置の各々が、監視制御装置からのパス設定の信号に応じて接続スイッチを切替えるステップと、監視制御装置が、全ての伝送装置に対して、最高の優先度を有する伝送路切替要因の解除要求信号を送信するステップと、監視制御装置からの解除要求信号に応じて、切替要因記憶手段から最高の優先度を有する伝送路切替要因を削除し、伝送路切替要因として、切替要因記憶手段に保持されている伝送路切替要因のうちで最も高い優先度を有する伝送路切替要因を設定するステップとを含むことを特徴とする。
【００１７】
上記（１）および（２）に記載の情報通信システムおよびパス設定方法においては、通常の接続スイッチ切替え作業に先立ち、各伝送装置を、少なくとも切替え機能に係わる伝送路切替要因のうち、最も優先度の高い伝送路切替要因に予めセットするようにしている。ＳＤＨ伝送システムにおけるこのような伝送路切替要因は、ＩＴＵ−Ｔ勧告Ｇ．８４１においてLockout Of Protection Spanとして定義されている。
【００１８】
このようにしておくと、監視制御装置による接続スイッチ切替え作業中に障害が発生しても、保持する伝送路切替要因の中に最も優先度の高い伝送路切替要因が既に存在するために、発生した障害による伝送路切替要因により接続スイッチの切替え動作は起こらない。これにより、監視制御装置による接続スイッチ切替え作業中において障害時切替え機能が動作しないようになり、したがってミスコネクトを回避することができるようになる。
【００１９】
また本発明の情報通信システムは、
（３）現用チャネルおよび予備チャネルを有する伝送路を介して接続される複数の伝送装置と、伝送路および複数の伝送装置のそれぞれを監視制御する少なくとも１つの監視制御装置とを備える情報通信システムにおいて、複数の伝送装置の各々に設けられ、情報通信システムの障害発生時にトラフィックを回復するために、障害発生時の接続スイッチの状態を決定するために使用する伝送路切替要因と全ての伝送装置間の通信パスの接続情報と自装置内の現在の接続スイッチ状態とに基づいて接続スイッチを切替える信号を発生する伝送路決定手段と、監視制御装置に設けられ、全ての伝送装置に対して、伝送路決定手段の機能を停止させる信号を送信する機能停止要求手段と、監視制御装置に設けられ、全ての伝送装置に対して、伝送路決定手段の機能停止を解除させる信号を送信する機能再起動要求手段と、複数の伝送装置の各々に設けられ、機能停止信号に応答して伝送路決定手段の機能を停止させる機能停止手段と、複数の伝送装置の各々に設けられ、解除信号に応答して伝送路決定手段の機能停止を解除させる機能再起動手段と、監視制御装置に設けられ、伝送路決定手段の機能が停止された後に、接続スイッチの切替信号を複数の伝送装置に送信する接続スイッチ切替要求手段と、複数の伝送装置の各々に設けられ、接続スイッチの切替信号に応じて接続スイッチを切替える接続スイッチ切替手段とを具備することを特徴とする。
【００２０】
また本発明のパス設定方法は、
（４）現用チャネルおよび予備チャネルを有する伝送路を介して接続される複数の伝送装置と、伝送路および複数の伝送装置のそれぞれを監視制御する少なくとも１つの監視制御装置とを備える情報通信システムにおけるパス設定方法であって、監視制御装置から通信パスの設定を行う際に、全ての伝送装置に対して、情報通信システムの障害発生時にトラフィックを回復するために、障害発生時の接続スイッチの状態を決定するために使用する伝送路切替要因と全ての伝送装置間の通信パスの接続情報と自装置内の現在の接続スイッチ状態とに基づいて接続スイッチを切替える自動切替機能を停止させる信号を送信するステップと、機能が停止された後に、監視制御装置からの通信パスの設定操作に応じて接続スイッチを切替えるステップと、監視制御装置からの制御により接続スイッチが切替えられた後に、監視制御装置から全ての伝送装置に対して自動切替機能の停止を解除させる信号を送信するステップとを含むことを特徴とする。
【００２１】
上記（３）に記載の情報通信システムでは、伝送路決定手段の機能を停止させる機能停止要求手段と、伝送路決定手段の機能停止を解除させる機能再起動要求手段とを設け、監視制御装置からの接続スイッチの切替え作業に先立ち各伝送装置における障害時切替え機能を直接に停止するようにしている。
【００２２】
また上記（４）に記載のパス設定方法では、監視制御装置からの接続スイッチの切替え作業に先立ち各伝送装置における障害時切替え機能を直接に停止するようにしている。
【００２３】
このようにしておくと、監視制御装置からの接続スイッチの切替え作業中に障害が発生しても、障害時切替え機能が停止されているためにこの機能による接続スイッチの切替え動作が起こらないことになる。これにより、監視制御装置からの接続スイッチの切替え作業中における障害時切替え機能による接続スイッチの切替え動作が生じないようになり、したがってミスコネクトを回避することができるようになる。
【００２４】
【発明の実施の形態】
以下、図１−図６を参照して本発明の第１の実施形態を詳細に説明する。
図１は、本発明の実施の形態に係わる情報通信システムの実態構成図である。本実施形態ではＳＤＨに準拠したリングネットワークを前提としており、ｍ個の伝送装置Ｎ１〜Ｎｍが高速回線（ＳＴＭ−１６回線など）ＦＬを介してリング状に接続されている。高速回線ＦＬ中で伝送される情報のうち、自装置宛てのチャネルの情報が伝送装置Ｎ１〜Ｎｍにおいて低速回線ＳＬにドロップされ、交換機などの通信装置（符号付せず）に送られる。
【００２５】
高速回線ＦＬは、時計回りおよび反時計回りの各現用チャネル伝送路と、時計回りおよび反時計回りの各予備チャネル伝送路とから構成されている。これら４種類の伝送路をそれぞれ別々の４本のファイバに通しても、また現用チャネル伝送路と予備チャネル伝送路を多重化して、時計回りの現用チャネル伝送路と予備チャネル伝送路を１本のファイバに通し、反時計回りの現用チャネル伝送路と予備チャネル伝送路をもう１本のファイバに通してもよい。さらに、時計回りおよび反時計回りの現用チャネル伝送路を１本のファイバに通し、時計回りおよび反時計回りの予備チャネル伝送路をもう１本のファイバに通してもよい。
【００２６】
各伝送装置Ｎ１〜Ｎｍは、それぞれＬＡＮ（Local Area Network）Ｌ１〜Ｌｍを介して監視制御装置ＷＳ１〜ＷＳｍに接続されている。これらの監視制御装置ＷＳ１〜ＷＳｍは、例えば汎用のワークステーションとして実現されるもので、いずれの監視制御装置ＷＳ１〜ＷＳｍからも、各伝送装置Ｎ１〜Ｎｍに対する監視制御を行うことができる。
【００２７】
図２に、各伝送装置Ｎ１〜Ｎｍの主要部構成を示す。各伝送装置Ｎ１〜Ｎｍは、アッド・ドロップ・マルチプレクサ（ＡＤＭ）２０１を備え、高速回線ＦＬを介して伝送される同期伝送データを高速側インタフェース部（ＨＳ  Ｉ／Ｆ）２０２−１〜２０２−４を介してアッド・ドロップ・マルチプレクサ２０１に導入し、更に低速側インタフェース部（ＬＳ  Ｉ／Ｆ）２０３を介して低速回線ＳＬ側にドロップする。また、各伝送装置Ｎ１〜Ｎｍは、低速回線ＳＬ側から入力される同期伝送データを、低速側インタフェース部２０３を介してアッド・ドロップ・マルチプレクサ２０１に導入し、高速回線ＦＬにアッドするものである。
【００２８】
アッド・ドロップ・マルチプレクサ２０１に対する動作制御は、各高速側インタフェース部２０２−１〜２０２−４から与えられる情報に基づき制御部２０４により行なわれる。
【００２９】
制御部２０４は、例えばマイクロコンピュータなどにより実現されるもので、他の伝送装置Ｎおよび監視制御装置ＷＳとの情報通信などを行う既知の通信および制御部に加えて、伝送路決定部２０４ａと、接続スイッチ切替部２０４ｂと、伝送路切替要因変更部２０４ｃと、リングマップ更新部２０４ｄとを備えている。
【００３０】
記憶部２０５には、全ての伝送装置間の通信パスの接続情報や伝送路切替要因のような各種制御に係わるデータが記憶されている。記憶部２０５は複数の伝送路切替要因を記憶することができるように構成されている。このため記憶部２０５は、既に記憶されている伝送路切替要因に加えて、伝送路切替要因変更部２０４ｃからの新たな伝送路切替要因や監視制御装置からの伝送路切替要因を記憶することができる。
【００３１】
伝送路切替要因変更部２０４ｃは、障害発生時に、自装置の障害情報と、Ｋ１、Ｋ２バイトを使用して伝送装置間で授受される情報とに基づいて、伝送路切替要因を決定する。そして、伝送路切替要因変更部２０４ｃは、この決定した伝送路切替要因と、監視制御装置からの伝送路切替要因と、記憶部２０５に記憶されている現在の伝送路切替要因のうちで、最も優先度の高い伝送路切替要因を、自装置の接続スイッチの状態を決定するために使用される新しい伝送路切替要因として決定する。伝送路決定部２０４ａは、この新しい接続スイッチの状態を決定するために使用される伝送路切替要因と、記憶部２０５に記憶されている全ての伝送装置間の通信パスの接続情報と、自装置内の伝送路の現在の接続スイッチ状態とに基づいて、トラフィックを回復するために、自装置の伝送路の新たな接続スイッチの状態を決定する。
【００３２】
また、伝送路切替要因変更部２０４ｃは、監視制御装置からの伝送路切替要因や障害発生により新しく発生した伝送路切替要因を既に記憶部２０５に記憶されている複数の伝送路切替要因に追加する機能を有する。
【００３３】
伝送路切替要因は、伝送装置内の接続スイッチ切替えの際などに参照される情報である。各伝送路切替要因はそれぞれ優先度を持っている。伝送路切替要因には、最高の優先度を持つ伝送路切替要因と、この最高優先度切替要因よりも低い優先度を持ち、障害発生時の伝送路切替要因として使用される少なくとも１つの伝送路切替要因が含まれている。このような伝送路切替要因の例としては、図３に示されているようなＩＴＵ−Ｔ勧告Ｇ．８４１においてプロテクショングループとして規定されているものがある。
【００３４】
接続スイッチ切替部２０４ｂは、通常の動作では監視制御装置からの接続スイッチ切替要求により自装置の接続スイッチを切替え、障害発生時には、伝送路決定部２０４ａにより決定された新たな接続スイッチの状態に基づき自装置の接続スイッチを切替えるものである。伝送路決定部２０４ａと接続スイッチ切替部２０４ｂにより、ＩＴＵ−Ｔ勧告Ｇ．８４１に規定されているＡＰＳ機能が実現される。
【００３５】
接続スイッチは、低速回線からのトラフィックを時計回りまたは反時計回りの現用チャネル伝送路あるいは時計回りまたは反時計回りの予備チャネル伝送路に流したり、時計回りまたは反時計回りの現用チャネル伝送路あるいは時計回りまたは反時計回りの予備チャネル伝送路からのトラフィックを低速回線にドロップしたり、隣接するノードから送られてきたトラフィックを他の隣接するノードにパススルーしたりするためのスイッチである。
【００３６】
リングマップ更新部２０４ｄは、監視制御装置から送られてくるリングマップにより、記憶部２０５に記憶されているリングマップを更新する。リングマップには、全ての伝送装置間の通信パスの接続情報が含まれている。
【００３７】
次に、監視制御装置ＷＳ１〜ＷＳｍの構成を図４を参照して説明する。監視制御装置ＷＳ１〜ＷＳｍは、キーボードや表示ディスプレイなどを備える入出力部２０６と、通信管理ネットワークＭＮＷとの間のインタフェース機能を実現するインタフェース部（Ｉ／Ｆ）２０７と、監視制御に係わるプログラムなどを記憶した記憶部２０８と、これら入出力部２０６およびインタフェース部（Ｉ／Ｆ）２０７を、記憶部２０８に記憶された制御プログラムに基づき制御する主制御部２０９とを備えている。
【００３８】
主制御部２０９は、例えばマイクロコンピュータなどにより実現されるもので、伝送装置Ｎ１〜Ｎｍとの情報通信などを行う既知の通信および制御部に加えて、最高優先度切替要因の設定要求部２０９ａと、接続スイッチ切替要求部２０９ｂと、リングマップ更新要求部２０９ｃと、最高優先度切替要因の解除要求部２０９ｄとを備えている。
【００３９】
最高優先度切替要因の設定要求部２０９ａは、各伝送装置Ｎ１〜Ｎｍに対して、最高の優先度を有する伝送路切替要因であるLockout Of Protection Spanを送る。
【００４０】
接続スイッチ切替要求部２０９ｂは、通信パスが通過または終端するために接続スイッチの切替を行うべき伝送装置Ｎに対して、例えば操作者の操作に基づき、接続スイッチの切替えを要求する。
【００４１】
リングマップ更新要求部２０９ｃは、接続スイッチの切替えを行うべきすべての伝送装置から接続スイッチの切替えが完了したことを示す応答が返送された後にリングマップを生成し、このリングマップを各伝送装置Ｎ１〜Ｎｍに送信する。
【００４２】
最高優先度切替要因の解除要求部２０９ｄは、各伝送装置Ｎ１〜Ｎｍにおけるリングマップ更新作業の完了の後に、各伝送装置Ｎ１〜Ｎｍに、Lockout Of Protection Spanを取消すように要求する。
【００４３】
次に、上記構成の情報通信システムにおける接続スイッチの切替プロセスを、図５および図６を参照して説明する。図５は、本実施の形態に係わる情報通信システムの論理的構成を示している。以下の説明では、監視制御装置ＷＳ１から３つの伝送装置Ｎ１〜Ｎ３を対象として接続スイッチの切替えに係わる各種制御を行うものとし、また実際に接続スイッチの切替えを行うべき伝送装置をＮ２およびＮ３とする。監視制御装置ＷＳ１と伝送装置Ｎ１〜Ｎ３との間には、双方の間での各種制御情報の授受を行うための通信管理ネットワークＭＮＷが形成されている。
【００４４】
図６のメッセージシーケンス図において、通信パス設定作業が開始されると、監視制御装置ＷＳ１は、最高優先度切替要因の設定要求部２０９ａにより最高優先度切替要因（Lockout Of Protection Span）の設定要求信号３０４〜３０６を各伝送装置Ｎ１〜Ｎ３に対して送出する。これに応答して各伝送装置Ｎ１〜Ｎ３は、切替要因変更部２０４ｃにより、記憶部２０５に記憶されている伝送路切替要因に加えて、新たな伝送路切替要因としてLockout Of Protection Spanを記憶部２０５に記憶させる。その後、各伝送装置Ｎ１〜Ｎ３は、変更が完了した旨を示す応答信号３０７〜３０９を監視制御装置ＷＳ１に向け返送する。
【００４５】
監視制御装置ＷＳ１からの接続スイッチの切替え中に障害が発生した場合、伝送路切替要因変更部２０４ｃは、自装置の障害情報やＫ１、Ｋ２バイトを使用して伝送装置間で授受される情報に基づいて伝送路切替要因を決定し、記憶部２０５に記憶させる。次に伝送路切替要因変更部２０４ｃは、この決定された伝送路切替要因の優先度と、この決定前から記憶部２０５に既に記憶されている伝送路切替要因の優先度とを順次比較する。記憶部２０５には最高優先度切替要因が記憶されており、障害が発生することにより決定される伝送路切替要因はこの最高優先度切替要因よりも低い優先度を持つことから、伝送路切替要因変更部２０４ｃは、接続スイッチ切替部２０４ｂを制御することもなく、接続スイッチの切替えは行われない。
【００４６】
応答信号３０７〜３０９を受信すると、監視制御装置ＷＳ１は、接続スイッチ切替要求部２０９ｂにより、接続スイッチの切替えを行うべき伝送装置Ｎ２，Ｎ３に対して接続スイッチ切替要求信号３１０，３１１を送出する。これに応答して伝送装置Ｎ２，Ｎ３は接続スイッチ切替部２０４ｂにより接続スイッチを切替え、接続スイッチの切替えが正常に完了した旨を示す応答信号３１２，３１３を監視制御装置ＷＳ１に向け返送する。
【００４７】
この応答信号３１２，３１３を受信すると、監視制御装置ＷＳ１は、リングマップ更新要求部２０９ｃによりこの時点でのリングマップを作成し、このリングマップ情報を含むリングマップ更新要求信号３１４〜３１６を各伝送装置Ｎ１〜Ｎ３に対して送出する。これに応答して各伝送装置Ｎ１〜Ｎ３は、リングマップ更新部２０４ｄにより、記憶部２０５に記憶されているリングマップを更新するとともに、更新が正常に完了した旨を示す応答信号３１７〜３１９を監視制御装置ＷＳ１に向け返送する。
【００４８】
応答信号３１７〜３１９を受けた監視制御装置ＷＳ１は、最高優先度切替要因の解除要求部２０９ｄにより、Lockout Of Protection Spanを取消すように要求する要求信号３２０〜３２２を各伝送装置Ｎ１〜Ｎ３に送出する。これに応答して各伝送装置Ｎ１〜Ｎ３は、伝送路切替要因変更部２０４ｃにより、Lockout Of
Protection Spanを記憶部２０５から消去する。
【００４９】
監視制御装置ＷＳ１からの要求により伝送路切替要因が最高優先度切替要因に変更されている間に障害が発生していた場合、各伝送装置Ｎ１〜Ｎ３は、記憶部２０５からLockout Of Protection Spanを消去した後に、記憶部２０５に記憶されている伝送路切替要因のうちで最も優先度の高い伝送路切替要因、新たなリングマップ、障害情報などに基づいて、必要に応じて接続スイッチを切替える。これらの制御が完了すると、各伝送装置Ｎ１〜Ｎ３は、その旨を示す応答信号３２３〜３２５を監視制御装置ＷＳ１に向け返送する。
【００５０】
上記のプロセスにおいて、各伝送装置Ｎ１〜Ｎ３と監視制御装置ＷＳ１との間での情報の授受は、ＳＴＭ信号のセクションオーバーヘッド（ＳＯＨ）に定義されたデータ通信チャネル（ＤＣＣ）を介して行なわれる。
【００５１】
このように本実施形態では、監視制御装置ＷＳ１からの接続スイッチの切替え先立ち、監視制御装置ＷＳ１から各伝送装置Ｎ１〜Ｎ３に対して最高優先度切替要因の設定要求信号３０４〜３０６を送出して、各伝送装置Ｎ１〜Ｎ３の伝送路切替要因を、最高の優先度を持つ伝送路切替要因に設定するようにしている。このため、監視制御装置ＷＳ１からの接続スイッチの切替え中に障害が発生しても、伝送路切替要因変更部２０４ｃによる伝送路切替要因の変更は行われることはなく、したがって障害による接続スイッチの切替えも行われない。また、全ての伝送装置Ｎ１〜Ｎ３におけるリングマップを更新した後に、最高優先度の伝送路切替要因を解除するようにしていることから、各伝送装置Ｎ１〜Ｎ３においてリングマップが相違したまま接続スイッチの切替えが行われることはない。したがって、監視制御装置による接続スイッチの切替え時に、ミスコネクトを回避することが可能となる。
【００５２】
次に、図７−図９を参照して本発明の第２の実施形態を説明する。
本実施形態の情報通信システムにおいても図１および図５に示す構成を前提とする。しかしながら、伝送装置および監視制御装置の構成において上記第１の実施形態と異なっており、区別のために本実施形態では、伝送装置にｎ１〜ｎｍ、監視制御装置にｗｓ１〜ｗｓｍなる符号を付して示す。なお、他の同一部分には同一の符号を付すものとする。
【００５３】
図７に、本実施形態における伝送装置ｎ１〜ｎｍの構成を示す。伝送装置ｎ１〜ｎｍは、伝送装置Ｎ１〜Ｎｍと略同等の構成をしているが、制御部の構成において異なっており、区別のために制御部の符号を２４０として説明する。
【００５４】
この制御部２４０は、例えばマイクロコンピュータなどにより実現されるもので、他の伝送装置および監視制御装置ｗｓ１〜ｗｓｍとの情報通信などを行う既知の通信および制御部、伝送路決定部２０４ａ、接続スイッチ切替部２０４ｂ、伝送路切替要因変更部２０４ｃ、リングマップ更新部２０４ｄに加えて、機能停止部２４０ａと、機能再起動部２４０ｂとを備えている。
【００５５】
機能停止部２４０ａは、監視制御装置ｗｓ１〜ｗｓｍからの要求に応じて伝送路決定部２０４ａの機能を停止するものであり、また機能再起動部２４０ｂは、同様に監視制御装置ｗｓ１〜ｗｓｍからの要求に応じて、停止された伝送路決定部２０４ａの機能を再起動する。
【００５６】
図８に本実施形態に係わる監視制御装置ｗｓ１〜ｗｓｍの構成を示す。監視制御装置ｗｓ１〜ｗｓｍは、監視制御装置ＷＳ１〜ＷＳｍと略同等の構成をしているが主制御部の構成において異なっており、区別のために主制御部の符号を２９０として説明する。
【００５７】
この主制御部２９０は、例えばマイクロコンピュータなどにより実現されるもので、伝送装置ｎ１〜ｎｍとの情報通信などを行う既知の通信および制御部に加えて、機能停止要求部２９０ａと、接続スイッチ切替要求部２０９ｂと、リングマップ更新要求部２０９ｃと、機能再起動要求部２９０ｂとを備えている。
【００５８】
機能停止要求部２９０ａは、伝送装置ｎ１〜ｎｍのそれぞれに対して伝送路決定部２０４ａの機能停止を要求するものであり、また機能再起動要求部２９０ｂは、同様に伝送装置ｎ１〜ｎｍのそれぞれに対して伝送路決定部２０４ａの機能の再起動を要求する。
【００５９】
次に、上記構成の情報通信システムにおける通信パスの設定プロセスを、図９のメッセージシーケンス図を参照して説明する。なお、ここでは監視制御装置ｗｓ１から３つの伝送装置ｎ１〜ｎ３を対象として通信パス設定に係わる各種制御を行うものとし、また実際に通信パスの設定を行うべき伝送装置をｎ２およびｎ３とする。
【００６０】
図９において通信パス設定作業が開始されると、監視制御装置ｗｓ１は、機能停止要求部２９０ａにより、機能停止要求信号５０４〜５０６を各伝送装置ｎ１〜ｎ３に対して送出する。これに応答して各伝送装置ｎ１〜ｎ３は、機能停止部２４０ａにより伝送路決定部２０４ａの機能を停止した後に、停止が完了した旨を示す応答信号５０７〜５０９を監視制御装置ｗｓ１に向け返送する。機能停止要求信号５０４〜５０６は、例えばＣＭＩＰプロトコルにおけるＧＥＴ命令、ＣＲＥＡＴＥ命令などとして実現される。
【００６１】
応答信号５０７〜５０９を受信すると、監視制御装置ｗｓ１は、接続スイッチ切替要求部２０９ａにより、接続スイッチの切替えを行うべき伝送装置ｎ２，ｎ３に対して接続スイッチ切替要求信号５１０，５１１を送出する。これに応答して伝送装置ｎ２，ｎ３は、接続スイッチ切替部２０４ｂにより接続スイッチを切替え、接続スイッチの切替えが正常に完了した旨を示す応答信号５１２，５１３を監視制御装置ｗｓ１に向け返送する。
【００６２】
監視制御装置ｗｓ１からの要求により伝送路決定部２０４ａの機能が停止されている間に障害が発生していた場合、伝送路切替要因変更部２０４ｃは、自装置の障害情報やＫ１、Ｋ２バイトを使用して伝送装置間で授受される情報に基づいて伝送路切替要因を決定し、記憶部２０５に記憶させる。次に伝送路切替要因変更部２０４ｃは、この決定された伝送路切替要因の優先度と、この決定前から記憶部２０５に既に記憶されている伝送路切替要因の優先度とを順次比較する。伝送路切替要因変更部２０４ｃは、記憶部２０５に記憶されている伝送路切替要因のうち最も優先度の高い伝送路切替要因を伝送路決定部２０４ａに送る。しかしながら、伝送路決定部２０４ａは機能停止されていることから、接続スイッチ切替部２０４ｂを制御することもなく、接続スイッチの切替えは行われない。
【００６３】
応答信号５１２，５１３を受信すると、監視制御装置ｗｓ１は、リングマップ更新要求部２０９ｃによりこの時点でのリングマップを作成し、このリングマップ情報を含むリングマップ更新要求信号５１４〜５１６を各伝送装置ｎ１〜ｎ３に対して送出する。これに応答して各伝送装置ｎ１〜ｎ３は、リングマップ更新部２０４ｄにより、記憶部２０５に記憶されているリングマップを更新するとともに、更新が正常に完了した旨を示す応答信号５１７〜５１９を監視制御装置ｗｓ１に向け返送する。
【００６４】
応答信号５１７〜５１９を受けた監視制御装置ｗｓ１は、機能再起動要求部２９０ｂにより、機能再起動要求信号５２０〜５２２を各伝送装置ｎ１〜ｎ３に送出する。これに応答して各伝送装置ｎ１〜ｎ３は、機能再起動部２４０ｂにより、伝送路決定部２０４ａの機能を再起動する。
【００６５】
監視制御装置ｗｓ１からの要求により伝送路決定部２０４ａの機能が停止されている間に障害が発生していた場合、各伝送装置ｎ１〜ｎ３は、伝送路決定部２０４ａの機能が再起動された後に、記憶部２０５に記憶されている伝送路切替要因のうちで最も優先度の高い伝送路切替要因、新たなリングマップ、障害情報などに基づいて、必要に応じて接続スイッチを切替える。これらの制御が完了すると、各伝送装置ｎ１〜ｎ３は、その旨を示す応答信号５２３〜５２５を監視制御装置ｗｓ１に向け返送する。
【００６６】
上記のプロセスにおいて、各伝送装置ｎ１〜ｎ３と監視制御装置ｗｓ１との間での情報の授受は、ＳＴＭ信号のセクションオーバーヘッド（ＳＯＨ）に定義されたデータ通信チャネル（ＤＣＣ）を介して行なわれる。
【００６７】
このようにして本実施形態では、監視制御装置ｗｓ１からの接続スイッチの切替えに先立ち、監視制御装置ｗｓ１から各伝送装置ｎ１〜ｎ３に対して機能停止要求信号５０４〜５０６を送出して、各伝送装置ｎ１〜ｎ３における伝送路決定部２０４ａの機能を停止するようにしている。
【００６８】
したがって、仮に監視制御装置からの接続スイッチの切替え作業中に障害が発生したとしても、伝送路決定部２０４ａの機能が駆動されず、接続スイッチの切替えが起こらない。しかも、伝送路決定部２０４ａの機能を、全ての伝送装置ｎ１〜ｎ３におけるリングマップを更新した後に再起動するようにしている。このため、各伝送装置ｎ１〜ｎｍにおいてリングマップが相違しているまま接続スイッチの切替えが行なわれることはない。したがって、監視制御装置からの接続スイッチの切替え時に、ミスコネクトを回避することが可能となる。
【００６９】
なお、本発明は上記実施の形態に限定されるものではなく、例えばネットワーク構成はリング状に限らず、他の接続形態であっても良い。
また、制御部２０４，２４０、および主制御部２０９，２９０の構成についても上記例に限らず、監視制御装置から接続スイッチの切替え伝送路決定部２０４ａの機能を停止できればよい。
その他、本発明の要旨を逸脱しない範囲で種々の変形実施を行うことができる。
【００７０】
【発明の効果】
以上詳述したように本発明によれば、接続スイッチの切替えに先立ち、全ての伝送装置の伝送路切替要因を、障害時用の伝送路切替要因のうち最も優先度の高い最高優先度伝送路切替要因に設定するか、または障害時接続スイッチ切替機能を直接的に停止するようにしたので、接続スイッチの切替え時にもミスコネクトやトラフィックの落ちが発生しない情報通信システム、この情報通信システムで使用される監視制御装置、伝送装置およびパス設定方法を提供することが可能となる。
【図面の簡単な説明】
【図１】本発明の実施の形態に係わる情報通信システムの実態構成図。
【図２】本発明の第１の実施形態に係わる伝送装置Ｎ１〜Ｎｍの主要部構成を示す機能ブロック図。
【図３】ＩＴＵ−Ｔ勧告Ｇ．８４１において定められた切替状態の優先順位を示す図。
【図４】本発明の第１の実施形態に係わる監視制御装置ＷＳ１〜ＷＳｍの主要部構成を示す機能ブロック図。
【図５】本発明の実施の形態に係わる情報通信システムの論理的構成を示す図。
【図６】本発明の第１の実施の形態に係わる監視制御装置ＷＳ１と伝送装置Ｎ１〜Ｎ３との間でのメッセージシーケンス図。
【図７】本発明の第２の実施形態に係わる伝送装置ｎ１〜ｎｍの主要部構成を示す機能ブロック図。
【図８】本発明の第２の実施形態に係わる監視制御装置ｗｓ１〜ｗｓｍの主要部構成を示す機能ブロック図。
【図９】本発明の第２の実施の形態に係わる監視制御装置ｗｓ１と伝送装置ｎ１〜ｎ３との間でのメッセージシーケンス図。
【符号の説明】
Ｎ１〜Ｎｍ、ｎ１〜ｎｍ…伝送装置
ＷＳ１〜ＷＳｍ、ｗｓ１〜ｗｓｍ…監視制御装置
Ｌ１〜Ｌｍ…ＬＡＮ
ＦＬ…高速回線
ＳＬ…低速回線
ＭＮＷ…通信管理ネットワーク
２０１…アッド・ドロップ・マルチプレクサ（ＡＤＭ）
２０２−１〜２０２−４…高速側インタフェース部（ＨＳ  Ｉ／Ｆ）
２０３…低速側インタフェース部（ＬＳ  Ｉ／Ｆ）
２０４…制御部
２０４ａ…伝送路決定部
２０４ｂ…接続スイッチ切替部
２０４ｃ…伝送路切替要因変更部
２０４ｄ…リングマップ更新部
２０５…記憶部
２０６…入出力部
２０７…インタフェース部（Ｉ／Ｆ）
２０８…記憶部
２０９…主制御部
２０９ａ…最高優先度切替要因の設定要求部
２０９ｂ…接続スイッチ切替要求部
２０９ｃ…リングマップ更新要求部
２０９ｄ…最高優先度切替要因の解除要求部
２４０…制御部
２４０ａ…機能停止部
２４０ｂ…機能再起動部
２９０…主制御部
２９０ａ…機能停止要求部
２９０ｂ…機能再起動要求部
３０４〜３０６…最高優先度切替要因の設定要求信号
３０７〜３０９…最高優先度切替要因の設定要求信号３０４〜３０６に対する応答信号
３１０，３１１…接続スイッチ切替要求信号
３１２，３１３…接続スイッチ切替要求信号３１０，３１１に対する応答信号
３１４〜３１６…リングマップ更新要求信号
３１７〜３１９…リングマップ更新要求信号３１４〜３１６に対する応答信号
３２０〜３２２…最高優先度切替要因（Lockout Of Protection Span ）状態を解除する要求信号
３２３〜３２５…最高優先度切替要因状態を解除する要求信号３２０〜３２２に対する応答信号
５０４〜５０６…機能停止要求信号
５０７〜５０９…機能停止要求信号５０４〜５０６に対する応答信号
５１０，５１１…接続スイッチ切替要求信号
５１２，５１３…接続スイッチ切替要求信号５１０，５１１に対する応答信号
５１４〜５１６…リングマップ更新要求信号
５１７〜５１９…リングマップ更新要求信号５１４〜５１６に対する応答信号
５２０〜５２２…機能再起動要求信号
５２３〜５２５…機能再起動要求信号５２０〜５２２に対する応答信号
【図１】
0003776638.tif 000002
【図２】
0003776638.tif 000003
【図３】
0003776638.tif 000004
【図４】
0003776638.tif 000005
【図５】
0003776638.tif 000006
【図６】
0003776638.tif 000007
【図７】
0003776638.tif 000008
【図８】
0003776638.tif 000009
【図９】
0003776638.tif 000010